(57)【特許請求の範囲】
【請求項１】
略有底筒状で金属製の内容器と略有底筒状で金属製の外容器との間に真空断熱層が設けられる真空二重容器であって、
前記外容器の略筒状の胴部の底側の端部が内側に折り曲げられて折曲部が形成され、前記折曲部の先端縁で形成される開口を閉塞するように前記外容器の別体の底部が配置され、前記折曲部と前記底部が前記外容器の底側で溶接して固定されていると共に、
前記外容器の略筒状の胴部と別体である前記外容器の口部の底側に裾部が形成され、
前記胴部の口側の軸方向に向く先端と前記口部の前記裾部の先端とが当接されて溶接されていることを特徴とする真空二重容器。
【請求項２】
前記胴部の口側の先端と前記裾部の先端とが溶接された溶接部がアール形状に形成されていることを特徴とする請求項１記載の真空二重容器。
【請求項３】
請求項１又は２記載の真空二重容器の製造方法であって、
外容器を構成する略筒状の胴部の口側の軸方向に向く先端と、前記胴部と別体である前記外容器の口部の底側に形成されている裾部の先端とを、位置合わせして当接するように配置し、前記当接した部分をレーザー溶接で溶接する工程を備えることを特徴とする真空二重容器の製造方法。
【発明の詳細な説明】
【技術分野】
【０００１】
本発明は、携帯用魔法瓶等の真空二重容器及びその製造方法に関する。
【背景技術】
【０００２】
従来、携帯用魔法瓶として、略有底筒状で金属製の内容器と略有底筒状で金属製の外容器とが空間を開けて配置され、その空間に真空吸引が施されて排気され、内容器と外容器との間に真空断熱層が設けられる真空二重容器が知られている。この内容器や外容器は、別部材の溶接など所要の加工を施されて所定形状に形成されるものであり、例えば外容器では、円筒状の胴部の底側の端部に、底カバーや底部材の周縁から立ち上げる起立部が内側或いは外側に嵌め込まれ、起立部の先端或いは胴部の底側端部の先端において周状に溶接が施されて所定形状に形成される（特許文献１、２参照）。
【先行技術文献】
【特許文献】
【０００３】
【特許文献１】特開昭５９−１０３６３３号公報
【特許文献２】特開２０１１−２０６４０８号公報
【発明の概要】
【発明が解決しようとする課題】
【０００４】
ところで、上記携帯用魔法瓶の真空二重容器は、外容器の胴部と底部とを嵌め込んで溶接した部分が、外容器の周側面に段差の周状ラインとなって現れるものであるが、外容器の周側面は需要者の目を引きやすいため、このような溶接部分は需要者の目を引きにくい箇所に形成し、デザイン性の向上を図ることが望ましい。また、真空二重容器の製造では、溶接工程を簡略化し、製造コストの低減を図ることも求められている。
【０００５】
本発明は上記課題に鑑み提案するものであって、外容器の胴部と底部との溶接部分を需要者の目を引きにくい箇所に形成し、デザイン性を高めることができると共に、溶接工程を簡略化し、製造コストの低減を図ることができる真空二重容器及びその製造方法を提供することを目的とする。
【課題を解決するための手段】
【０００６】
本発明の真空二重容器は、略有底筒状で金属製の内容器と略有底筒状で金属製の外容器との間に真空断熱層が設けられる真空二重容器であって、前記外容器の略筒状の胴部の底側の端部が内側に折り曲げられて折曲部が形成され、前記折曲部の先端縁で形成される開口を閉塞するように前記外容器の別体の底部が配置され、前記折曲部と前記底部が前記外容器の底側で溶接して固定されていると共に、前記外容器の略筒状の胴部と別体である前記外容器の口部の底側に裾部が形成され、前記胴部の口側の軸方向に向く先端と前記口部の前記裾部の先端とが当接されて溶接されていることを特徴とする。
この構成によれば、真空二重容器の外容器の胴部と底部との溶接部分を外容器の底側にし、この溶接部分を需要者の目を引きにくい箇所に形成することが可能となり、デザイン性を高めることができる。また、例えばレーザー溶接機のレーザーヘッドを周方向に移動すること等の必要が無く、溶接する向きを外容器の底側に向かう一方向にすることができ、又、外容器の周側面に溶接する場合よりも溶接長を短くすることができるので、溶接工程を簡略化し、製造コストの低減を図ることができる。また、外容器の胴部と口部を別体とすることで、胴部と口部に別の材料を用いて機能性を高めることが可能となり、例えば直接水に触れることが少ない外容器の胴部に、耐食性が劣るものの軽量な材料を用い、外容器や真空二重容器の軽量化を図ることができる。また、例えば当該当接箇所をレーザー溶接で所要形状となるように溶接し、必要に応じて研磨を施すことにより、丸みの少ない鋭角なアール形状や、比較的丸みが大きいアール形状にする等、当該箇所の溶接部の形状調整を高自由度で容易に行うことができ、デザイン性の向上や多様化を図ることができる。また、当該箇所の溶接部を外容器の周側面において目立ちにくくすることも容易であり、この点からも、デザイン性を高めることができる。
【０００７】
本発明の真空二重容器は、前記胴部の口側の先端と前記裾部の先端とが溶接された溶接部がアール形状に形成されていることを特徴とする。
この構成によれば、丸みの少ない鋭角なアール形状や、比較的丸みが大きいアール形状にする等で、デザイン性を向上することができる。
【０００８】
また、本発明の真空二重容器の製造方法は、本発明の真空二重容器を製造する方法であって、外容器を構成する略筒状の胴部の口側の軸方向に向く先端と、前記胴部と別体である前記外容器の口部の底側に形成されている裾部の先端とを、位置合わせして当接するように配置し、前記当接した部分をレーザー溶接で溶接する工程を備えることを特徴とする。
【発明の効果】
【０００９】
本発明によれば、真空二重容器の外容器の胴部と底部との溶接部分を需要者の目を引きにくい箇所に形成し、デザイン性を高めることができると共に、溶接工程を簡略化し、製造コストの低減を図ることができる。
【図面の簡単な説明】
【００１０】
【図１】本発明による実施形態の真空二重容器の正面図。
【図２】本発明による実施形態の真空二重容器の縦断面図。
【図３】外容器の胴部と口部の溶接部の周辺領域を示す部分拡大断面図。
【図４】（ａ）は外容器の胴部と底部の溶接部の周辺領域を示す部分拡大断面図、（ｂ）はそのＡ部の部分拡大図。
【図５】（ａ）は外容器の口部となる筒体を示す断面図、（ｂ）は外容器の口部を示す断面説明図。
【図６】外容器の口部に内容器を嵌め込んで溶接した状態を示す部分断面図。
【図７】（ａ）は外容器の胴部となる筒体を示す断面図、（ｂ）〜（ｃ）は筒体の底側の端部における加工を説明する説明図。
【図８】（ａ）は外容器の胴部を示す断面図、（ｂ）は外容器の胴部に別体の底部を配置した状態を示す断面図。
【図９】外容器の胴部と底部を溶接した状態を示す断面図。
【発明を実施するための形態】
【００１１】
〔実施形態の真空二重容器及びその製造方法〕
本実施形態の真空二重容器１は、携帯用魔法瓶であり、図１及び図２に示すように、略有底筒状で金属製の内容器２と略有底筒状で金属製の外容器３とを有し、内容器２と外容器３との間に空間が設けられ、この空間が真空吸引して排気された真空断熱層４になっている。
【００１２】
内容器２は、図２〜図４に示すように、略有底筒状の本体２１を有し、本体２１の開口側の端部にはくびれ部２２を介して口部２３が設けられている。口部２３には、図示省略する蓋部材等が螺合される螺旋溝２３１が形成されていると共に、その開口側の先端の近傍には拡径部２３２が形成されている。
【００１３】
外容器３は、図１〜図４に示すように、略筒状の胴部３１と、真空二重容器１の口側となる胴部３１の一方の端部に設けられる口部３２と、真空二重容器１の底側となる胴部３１の他方の端部に設けられる底部３３を有する。胴部３１、口部３２、底部３３はそれぞれ別体であり、後述する溶接部５２、５３によって互いに接合されている。
【００１４】
胴部３１の他方の端部には、内側に折り曲げられて折曲部３１１が形成されており、折曲部３１１の先端縁を周縁として開口３１３が形成される。また、折曲部３１１の先端近傍には、内容器２側と開口３１３側に屈曲するようにして形成された屈曲段差部３１２が設けられており、換言すれば、開口３１３は、屈曲折曲部３１２の先端縁を周縁として形成されている。
【００１５】
口部３２は、略筒状であり、口側となる口部３１の一方の端部には、内側に曲げられた折返部３２１が形成されていると共に、底側となる口部３１の他方の端部には、末広がりになって先端近傍が略鍔状となる裾部３２２が形成されている。
【００１６】
折返部３２１は、先端が内容器２の拡径部２３２の根元に略当接する位置まで拡径部２３２の内側に嵌合され、折返部３２１の先端が内容器２の口部２３の内面にレーザー溶接による溶接によって固定されている。この溶接により、折返部３２１の先端が拡径部２３２の根元と略当接する箇所には、周方向に沿って溶接部５１が形成されている。
【００１７】
裾部３２２は、その先端が胴部３１の口側の先端と当接するように配置されており、裾部３２２の先端と胴部３１の口側の先端とがレーザー溶接による溶接によって固定され、周方向に沿って溶接部５２が形成されている。この裾部３２２の先端と胴部３１の口側の先端の当接及び溶接部５２によって構成される外容器３の肩部、或いは溶接部５２は、例えば研磨を施す等により、丸みの少ない鋭角なアール形状、或いは比較的丸みが大きいアール形状に形成される。
【００１８】
底部３３は、略円板状等の略板状であり、その中央において、内側にへこむように形成されている凹部の中央に真空吸引用の吸引穴３３１が形成されている。また、底部３３の内面側には、吸引孔３３１の封止後に内容器２と外容器３との間の空間のガスを吸収するゲッター３３２が設けられている。
【００１９】
底部３３は、開口３１３を閉塞するように配置されている。本実施形態では、底部３３が、屈曲段差部３１２に重なるように配置されており、底部３３の側端面が屈曲段差部３１２の側面に近接して配置され或いは屈曲段差部３１２の側面に略当接するように嵌め込まれ、底部３３の周縁近傍が真空二重容器１の底面方向に延びる屈曲段差部３１２の先端面に重なるように配置されている。屈曲段差部３１２で形成される凹部の深さ、即ち屈曲段差部３１２の側面の高さは、底部３３の厚さよりも深く或いは高く形成されており、底部３３は、屈曲段差部３１２で形成される凹部に入り込み、折曲部３１１の底側の先端よりも底側に突出しないようになっている。
【００２０】
そして、底部３３と折曲部３１１は外容器３の底側で溶接して固定されており、底部３３の周縁が折曲部３１１にレーザー溶接で溶接され、外容器３の底側で周状に溶接部５３が形成されている。本実施形態では底部３３の周縁が屈曲段差部３１２の隅部近傍においてレーザー溶接で溶接されている。
【００２１】
真空断熱層４は、内容器２と外容器３との間に形成されている真空或いは減圧された空間である。真空断熱層４には、例えば内容器２の外面或いは外容器３の内面に銅、アルミ等の金属箔を施す等により、真空断熱材を設けるようにしてもよい。
【００２２】
真空二重容器１を製造する際には、図５（ａ）、（ｂ）に示すように、外容器３の口部３２を構成する筒体３２ａに所要の加工を施し、一方の端部の先端を内側に曲げて折返部３２１を形成すると共に、他方の端部にフレア加工を施して裾部３２２を形成して、口部３２を形成する。
【００２３】
次いで、図６に示すように、口部３２の内側に内容器２若しくはその構成部材を挿入し、口部３２の折返部３２１と内容器２の口部２３若しくはその構成部材の口部とを口部の内側で溶接して固定する。図示例では、内容器２の口部２３若しくはその構成部材の口部の先端近傍に形成されている拡径部２３２等の根元に、口部３２の折返部３２１の先端が略当接するまで、拡径部２３２等の内側に折返部３２１を嵌合し、口部３２の折返部３２１の先端を内容器２の口部２３若しくはその構成部材の口部の内面に、レーザー溶接による溶接を周方向に施し、溶接部５１で固定する。尚、口部３２に内容器２の構成部材を固定した場合には、後述する外容器３の胴部３１及び底部３３を口部３２に対して配置、固定する工程の前の適宜の工程で内容器２を完成する。
【００２４】
また、真空二重容器１の製造では、図７に示すように、外容器３の胴部３１を構成する筒体３１ａの底側の端部を内側に折り曲げて折曲部３１１を形成する。本例で折曲部３１１を形成する際には、筒体３１ａの底側の端部をロール成形等で内側に折り曲げて折曲部３１１の基となる折曲部３１１ａを形成する。そして、折曲部３１１ａの先端近傍をプレス加工して、内容器２側と折曲部３１１ａの先端縁で形成される開口側に屈曲するように基礎屈曲段差部３１２ａを形成し、基礎屈曲段差部３１２ａの先端近傍を切断除去することにより、屈曲段差部３１２を形成すると共に、屈曲段差部３１２を有する折曲部３１１を形成する。屈曲段差部３１２は、内容器２側と折曲部３１１の先端縁で形成される開口３１３側に屈曲するように形成される。
【００２５】
次いで、図８に示すように、折曲部３１１の先端縁で形成される開口３１３を閉塞するように外容器を構成する別体の底部３３を配置し、本例では底部３３を屈曲段差部３１２に重ねるように配置し、底部３３の側端面が屈曲段差部３１２の側面に近接するように配置する。尚、底部３３の側端面が屈曲段差部３１２の側面に略当接するように嵌め込んで配置すると、底部３３を正確な位置に簡単に位置合わせして固定することができるので好ましい。
【００２６】
次いで、図９に示すように、折曲部３１１と底部３３とを外容器３の底側で溶接して固定する。本例では、底部３３を屈曲段差部３１２に重ねるようにして胴部３１に配置し、その配置状態を治具６１、６２等で保持し、底部３３の周縁を折曲部３１１にレーザー溶接で溶接する。そして、底部３３の周縁を屈曲段差部３１２の隅部近傍において周方向にレーザー溶接で溶接することにより、溶接部５３で胴部３１と底部３３を固定する。また、本例では、底部３３の中心に設けられている吸引穴３３１を溶接時の中心出しに利用しており、治具６１の芯出し棒６１１が吸引穴３３１に挿入されて溶接が行われる。
【００２７】
そして、胴部３１と底部３３が固定された状態で底部３３の内面側にゲッター３３２を取り付けた後、外容器３を構成する胴部３１の口側の先端と、外容器３を構成する別体の口部３２の底側に形成されている裾部３２２の先端とを、位置合わせして配置し、周方向にレーザー溶接で溶接を施し、溶接部５２を形成して固定する。溶接部５２を形成する際には、当該箇所をレーザー溶接で所要形状となるように溶接し、必要に応じて研磨を施すことにより、丸みの少ない鋭角なアール形状、或いは比較的丸みが大きいアール形状にして形成する。更に真空吸引・排気など必要な工程を行って真空二重容器１を得ることができる。
【００２８】
第１実施形態の真空二重容器１或いはその製造方法によれば、真空二重容器１の外容器３の胴部３１と底部３３との溶接部分を外容器３の底側にし、この溶接部分を需要者の目を引きにくい箇所に形成することが可能となり、デザイン性を高めることができる。また、例えばレーザー溶接機のレーザーヘッドを周方向に移動すること等の必要が無く、溶接する向きを外容器３の底側に向かう一方向にすることができ、又、外容器３の周側面に溶接する場合よりも溶接長を短くすることができるので、溶接工程を簡略化し、製造コストの低減を図ることができる。
【００２９】
また、屈曲段差部３１２に底部３３を配置して溶接することにより、外容器３の底側で周側面から突出する箇所を無くすことができ、美観をより高めてデザイン性を一層向上することができる。また、外容器３の底部３３の周縁を折曲部３１１にレーザー溶接で溶接することで、精密に低歪みで外容器３の胴部３１の折曲部３１１と底部３３を溶接固定することができ、真空二重容器１の残留応力の低減や、溶接時の変形防止を図ることができる。また、外容器３の底部３３の中央に形成する真空吸引用の吸引穴３３１を中心出しに利用することができ、底部３３に関わる加工や、底部３３を接合した後の容器に対する加工が容易となる。
【００３０】
また、外容器３の胴部３１と口部３２を別体とすることで、胴部３１と口部３２に別の材料を用いて機能性を高めることも可能となり、例えば直接水に触れることが少ない外容器３の胴部３１に、耐食性が劣るものの軽量な材料を用い、外容器３や真空二重容器１の軽量化を図ることもできる。例えば外容器３の口部３２を比重７．９３程度のＳＵＳ３０４としつつ、水に触れることの少ない胴部３１を耐食性に劣り、比重が７．７０程度のＳＵＳ４３０とし、加工性の向上、コスト低減、外容器３や真空二重容器１の軽量化を図ることができる。
【００３１】
また、胴部３１の口側の先端と別体である口部３２の裾部３２２の先端をレーザー溶接で溶接し、必要に応じて研磨を施すことにより、丸みの少ない鋭角なアール形状や、比較的丸みが大きいアール形状にする等、溶接部５２の形状調整を高自由度で容易に行うことができ、デザイン性の向上や多様化を図ることができる。また、溶接部５２を外容器３の周側面において目立ちにくくすることも容易であり、この点からも、デザイン性を高めることができる。
【００３２】
また、屈曲段差部３１２の基となる基礎屈曲段差部３１２ａを形成し、基礎屈曲段差部３１２ａの先端近傍を切断除去して屈曲段差部３１２を形成することにより、シワがなく、薄く安定した径の屈曲段差部３１２や折曲部３１１を形成することができる。また、プレス加工で容易に屈曲段差部３１２を形成することができる。
【００３３】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００３４】
例えば、上記実施形態の外容器３の折曲部３１１は、屈曲段差部３１２を有するものとしたが、屈曲段差部３１２を有せずに内側に折り曲げられる折曲部とすることも可能であり、この折曲部の先端縁で形成される開口を閉塞するように外容器の別体の底部を配置し、溶接するようにしてもよい。この場合にも、折曲部の基となる基礎折曲部を形成し、基礎折曲部の先端近傍を切断除去することにより、折曲部を形成すると、シワがなく、薄く安定した径の折曲部を形成することができて好ましい。
【００３５】
また、真空二重容器１の製造方法は、外容器３を構成する胴部３１の底側の端部を内側に折り曲げるように折曲部３１１を形成する工程と、折曲部３１１の先端縁で形成される開口３１３を閉塞するように外容器３を構成する別体の底部３３を配置する工程と、折曲部３１１と底部３３とを外容器３の底側で溶接して固定する工程を備えるものであれば包含され、例えば折曲部３１１が形成された胴部３１と外容器３の口部３２を先に溶接固定し、その後に折曲部３１１への底部３３の配置、固定を行う構成等としてもよい。
【産業上の利用可能性】
【００３６】
本発明は、例えば携帯用魔法瓶等の真空二重容器やその製造に利用することができる。
【符号の説明】
【００３７】
１…真空二重容器  ２…内容器  ２１…本体  ２２…くびれ部  ２３…口部  ２３１…螺旋溝  ２３２…拡径部  ３…外容器  ３１…胴部  ３１ａ…筒体  ３１１、３１１ａ…折曲部  ３１２…屈曲段差部  ３１２ａ…基礎屈曲段差部  ３１３…開口  ３２…口部  ３２ａ…筒体  ３２１…折返部  ３２２…裾部  ３３…底部  ３３１…吸引穴  ３３２…ゲッター  ４…真空断熱層  ５１、５２、５３…溶接部  ６１、６２…治具  ６１１…芯出し棒
【図１】
0006039251.tif 000002
【図２】
0006039251.tif 000003
【図３】
0006039251.tif 000004
【図４】
0006039251.tif 000005
【図５】
0006039251.tif 000006
【図６】
0006039251.tif 000007
【図７】
0006039251.tif 000008
【図８】
0006039251.tif 000009
【図９】
0006039251.tif 000010